(57)【要約】  マスカラアプリケータ（１）は、長手方向軸（９）を画定する細長い全体形状を有し突起（１０、１１、１２）を含む。これらの突起のうちの少なくとも１つ（１０）は、長手方向軸に対して半径方向の平面と４５°超の角度を成す開口部主軸を有する貫通開口部（１７）を画定するループを形成する。
2018536492.tif 000002
【特許請求の範囲】
【請求項１】
長手方向軸（９）を画定する細長い全体形状を有し、突起（１０、１１、１２）を含み、これらの突起のうちの少なくとも１つ（１０）が、長手方向軸に対して半径方向の平面と４５°超の角度を成す開口部主軸を有する貫通開口部（１７）を画定するループを形成していること、を特徴とするマスカラアプリケータ（１）。
【請求項２】
開口部の主軸がアプリケータの長手方向軸（９）に直交する平面内に延在する、請求項１に記載のアプリケータ（１）。
【請求項３】
開口部（１７）が楕円形の全体形状を有する、請求項１ないし２のいずれか１項に記載のアプリケータ（１）。
【請求項４】
開口部（１７）が、非平面曲線を形成する縁部を有する、請求項１ないし３のいずれか１項に記載のアプリケータ（１）。
【請求項５】
開口部（１７）が面取りされた縁部（１９）を有する、請求項１ないし４のいずれか１項に記載のアプリケータ（１）。
【請求項６】
アプリケータをその自由端部から見た場合、ループを形成する突起（１０）が非直線形状、好ましくは波状の全体形状を有する、請求項１ないし５のいずれか１項に記載のアプリケータ（１）。
【請求項７】
少なくとも１つの突起（１１）が、この突起から、好ましくはその基部から延在する１つ以上の二次突起（１２）を含む、請求項１ないし６のいずれか１項に記載のアプリケータ（１）。
【請求項８】
ループを形成する突起（１０）が少なくとも３つあり、これら突起が少なくとも１つの横列を形成する、請求項１ないし７のいずれか１項に記載のアプリケータ（１）。
【請求項９】
横列のまたは少なくとも１本の横列の突起が全て、アプリケータの長手方向軸（９）に対し半径方向の同じ平面内に含まれている、請求項８に記載のアプリケータ（１）。
【請求項１０】
ループを形成するいくつかの突起（１０）横列を含み、これらの横列が互いとの関係においてアプリケータの長手方向軸（９）を中心とする回転対称を有する、請求項８または９のいずれか１項に記載のアプリケータ（１）。
【請求項１１】
横列または少なくとも１本の横列が、ループを形成する突起（１０）しか含まない、請求項８ないし１０のいずれか１項に記載のアプリケータ（１）。
【請求項１２】
さらにフラップ（１３）を含み、各フラップが、
−  少なくとも１つの第１のパネル（１４）と、
−  第１のパネルによりアプリケータのコアに連結され突起（１０、１１、１２）を担持する少なくとも１つの第２のパネル（１５）と、
で構成されている、請求項１ないし１１のいずれか１項に記載のアプリケータ（１）。
【請求項１３】
第１のパネル（１４）がアプリケータの長手方向軸（９）に対して半径方向の平面内に延在している、請求項１２に記載のアプリケータ（１）。
【請求項１４】
ループ状の少なくとも１つの突起（１０）の開口部（１７）が第１のパネル（１４）内に延在している、請求項１２または１３のいずれか１項に記載のアプリケータ（１）。
【請求項１５】
第１（１４）および第２（１５）のパネルがキャビティ（２１）を形成する、請求項１２ないし１４のいずれか１項に記載のアプリケータ（１）。
【請求項１６】
突起（１０、１１、１２）が全て、キャビティの反対側の第２のパネルの面（２３）から延在している、請求項１５に記載のアプリケータ（１）。
【請求項１７】
モノブロックでできている、請求項１ないし１６のいずれか１項に記載のアプリケータ（１）。
【請求項１８】
請求項１ないし１７のいずれか１項に記載のアプリケータの加算合成による製造方法において、
−  アプリケータに関連するデータの獲得ステップと；
−  データを用いたアプリケータの加算合成ステップと；
を含む製造方法。
【請求項１９】
請求項１８に記載の方法の実施を制御するためにコンピュータプログラムによって使用され得るデータを含むコンピュータファイル。
【請求項２０】
請求項１８に記載の方法の実施を可能にするデータを記録された形で含む、電子記録媒体。
【請求項２１】
遠隔通信ネットワーク上でダウンロードすることを目的とする、請求項１９に記載のファイルの提供方法。
【発明の詳細な説明】
【技術分野】
【０００１】
本発明は、化粧品アプリケータに関する。
【０００２】
マスカラの塗布を可能にする製品は公知である。これらの製品は棒ブラシさらには射出成形されたプラスチック材料製ブラシの形をしたアプリケータを含む。これらのブラシは、優れた化粧成果を提供する。しかしながら、この成果およびユーザーにとっての使用快適性の改良がつねに追求されている。改良としては、より優れた睫毛分離、より優れた睫毛伸長効果および／またはカービング効果、さらには睫毛上への可能なかぎり規則的なマスカラ塗布の追求を挙げることができる。同様に、ユーザーがマスカラタンク内にマスカラアプリケータを挿入してその装填を行なわなければならない頻度を減少させることも試みられている。
【発明の概要】
【発明が解決しようとする課題】
【０００３】
したがって本発明の目的は、マスカラアプリケータを改良することにある。
【課題を解決するための手段】
【０００４】
このため、本発明によると、長手方向軸を画定する細長い全体形状を有し突起を含み、これらの突起のうちの少なくとも１つが、長手方向軸に対して半径方向の平面と４５°超の角度を成す開口部主軸を有する貫通開口部を画定するループを形成しているマスカラアプリケータが想定されている。
【０００５】
アプリケータがマスカラタンク内に挿入された場合、突起のループにはマスカラが装填され、このループは、タンクにワイパが備わっている場合でもタンク外へのアプリケータの退出の際に空にされないミニタンクを形成する。これらのループは、それらが格納するマスカラと睫毛を接触させるのに好都合な配向を有する。その上、睫毛は、塊を発生させることなくマスカラで正しくコーティングされるように、ループを通過することになる。特に、ユーザーが伝達する塗布運動は、開口部の少なくとも一部分の中に１本以上の睫毛を通過させ、この１本以上の睫毛には、この通過の際にマスカラが装填される。したがって、比較的多用量のマスカラがタンクの出口でアプリケータ上に装填され次に睫毛に塗布される。ループを形成する突起の開口部の容積は、１本以上の睫毛に塗布すべき既定量のマスカラに対応するように選択され得る。こうして、必要充分なだけのマスカラ量を確実に塗布することができ、こうして例えば塊の形成を回避することができる。その上、開口部が少数の睫毛、例えば１本の睫毛しか収容できない容積を有することは、睫毛の分離に寄与し、ひいては化粧の成果を改善することを可能にする。その上、ループ状突起は、目に近づいたときにブラシが提示し得る攻撃性を減少させ、ブラシが角膜の近くで操作される場合にユーザーが感じ得る不安を緩和する。
【０００６】
角度は６０°、さらには７０°超、そして好ましく８０°超であることを想定することができる。
【０００７】
好ましくは、開口部の主軸は、アプリケータの長手方向軸に直交する平面内に延在する。
【０００８】
この配向により、ループ内で輸送されるマスカラと睫毛の接触は著しく容易になり、化粧の成果はさらに良好になり、成果を得ることが極めて容易になる。
【０００９】
開口部は楕円形の全体形状を有することを想定できる。
【００１０】
同様に、開口部および突起の外部輪郭が楕円形の全体形状を有することも想定できる。
【００１１】
この形状は、睫毛の形状と一致し、ひいては化粧の成果を改善することを可能にする。
【００１２】
同様に、開口部が非平面曲線を形成する縁部を有することも想定できる。
【００１３】
この特定の配置は、特に、ユーザーが水平でない、例えば傾斜した配向でアプリケータを持つ場合に、ループが担持するマスカラと睫毛の接触を容易にするようなものである。
【００１４】
同様に、開口部が面取りされた縁部を有することを想定することもできる。
【００１５】
こうして、特に開口部の縁部の少なくとも一部分上の鋭い稜を除去することが可能になり、マスカラでコーティングするために開口部内へ睫毛を通すことが容易になる。
【００１６】
同様に、アプリケータを自由端部から見た場合、ループを形成する突起が非直線形状、好ましくは波状の全体形状を有することを想定することもできる。
【００１７】
アプリケータがさらに直線の突起を含むことを想定することができる。
【００１８】
このような突起は、睫毛上のマスカラの展延を改善して、睫毛上の塊の形成を回避する。これらの突起は、例えば、アプリケータの長手方向軸との関係における半径方向平面内に延在し得る。
【００１９】
ループを形成する１つ以上の突起の上流側に１つ以上の直線の突起が存在することにより、ループを形成する突起の開口部内に存在するマスカラが睫毛に装填される前に睫毛を分離することが可能になる。この特徴は、より優れた化粧の成果を得ることに寄与する。
【００２０】
ループを形成する１つ以上の突起の下流側に１つ以上の直線の突起が存在することにより、睫毛に塗布されたばかりのマスカラを充分に展延させ、これらの睫毛を分離することが可能となり、これら２つの効果は各々、独立して、化粧成果の改善を可能にする。
【００２１】
少なくとも１つの突起が、この突起、好ましくはその基部から延在する１つ以上の二次突起を含むことを想定することができる。
【００２２】
このような突起の存在には複数の利点がある。まず第１に、これらの突起は、睫毛の上のマスカラの展延を改善することができ、こうして塊を回避できるようにする。次に、これらの突起は、同様に、マスカラが装填される前または後の睫毛の分離を改善することができる。
【００２３】
ループを形成する突起が少なくとも３つあり、１本の横列を形成することが想定できる。
【００２４】
このような構成の利点は、睫毛の横列全体にわたるマスカラの均一な塗布を可能にするという点にある。
【００２５】
横列または少なくとも１本の横列の突起が全て、アプリケータの長手方向軸に対し半径方向の同じ平面内に含まれていることが好ましい。
【００２６】
この配置により、１本の睫毛横列上へのマスカラの塗布の均一性をさらに改善することができる。
【００２７】
好ましくは、アプリケータは、ループを形成するいくつかの突起横列を含み、これらの横列は互いとの関係においてアプリケータの長手方向軸を中心とする回転対称を有する。
【００２８】
同様に、アプリケータの長手方向軸に沿って突起横列のずれを想定することもできる。
【００２９】
同様に、突起の横列または少なくとも１本の横列が、ループを形成する突起しか含まないことも想定できる。
【００３０】
このようにして、全ての睫毛上で同じようにマスカラの塗布が行なわれ、ここでもまたマスカラの均一な塗布が可能になる。
【００３１】
有利にも、ループ状突起横列の各々のループ状突起の少なくとも一部は、横列内でそれに先行するおよび／またはそれに後続する突起と接触している。
【００３２】
アプリケータはさらにフラップを含み、各フラップが、少なくとも、
−  １つの第１のパネルと、
−  第１のパネルによりアプリケータのコアに連結され突起を担持する少なくとも１つの第２のパネルと、
で構成されていることを想定することができる。
【００３３】
他のパネルが存在してもよい。例えば、第１および第２のパネルを連結するために第３のパネルを使用することができる。
【００３４】
好ましくは、第１のパネルは、第２のパネルをアプリケータの残りの部分に結合させることができる。この結合は、アプリケータのコアを介して行なわれてよく、あるいはそうでなくてもよい。
【００３５】
好ましくは、第１のパネルはフラップの第２のパネルを互いに連結する。例えば、各々第２のパネルに結合された第１のパネルは全て、その内部縁部の１つにより互いに結合され得る。特定の一実施形態において、これらの第１のパネルの結合はアプリケータのコアを形成する。
【００３６】
好ましくは、第１のパネルは、平行六面体の全体形状を有し、第２のパネルは、わずかに凹状になった平行六面体の全体形状を有する。第１および第２のパネルは当然、これらの形状以外の形状を有することができる。例えば、第２のパネルは、アプリケータの自由端部から見た場合、平面または波状の全体形状を有することができる。
【００３７】
フラップの数は変動し得る。こうして、少なくとも１つのフラップ、さらには少なくとも２つのフラップ、好ましくは少なくとも３つのフラップを有するアプリケータを想定することができる。
【００３８】
パネルは、アプリケータの長さの大部分、好ましくはその全長にわたって延在してよい。同様に、パネルは、アプリケータの長さのわずかな部分にわたり延在し得ることを想定することもできる。
【００３９】
好ましくは、異なるフラップの第１のパネルは全て同じ寸法のものである。
【００４０】
同様に好ましくは、異なるフラップの第２のパネルは全て同じ寸法である。
【００４１】
第１のパネルは、アプリケータの長手方向軸に対して半径方向の平面内に延在していると想定することができる。
【００４２】
同様に、ループ状の少なくとも１つの突起の開口部は第１のパネル内に延在していると想定することができる。
【００４３】
これにより、特に、アプリケータがマスカラタンクから出た後で第１のパネルの間に存在するマスカラがこれらのパネルの間を循環して、これらのパネル間に分布させられることが可能になる。
【００４４】
１つのフラップの第１および第２のパネルがキャビティを形成することを想定することができる。
【００４５】
こうして、このキャビティは、アプリケータがマスカラタンクから出た後、マスカラを格納することができる。したがって、このキャビティはこれも同様に、アプリケータがタンクから出た時点でマスカラタンクを形成し、こうして、ユーザーがタンク内にアプリケータを再度挿入することを余儀なくされる回数の削減を可能にする。このキャビティの容積は特に、これら２つのパネルが形成する角度によって左右される。好ましくはこの角度は９０°未満、特に７５°未満または６０°未満、好ましくは４５°未満である。キャビティの断面はアプリケータの長手方向軸に沿って恒常でないと想定することができる。好ましくはこの断面はキャビティのより大きな部分にわたり恒常である。さらに好ましくは、この断面はキャビティの中央部分上で恒常であり、キャビティの端部レベルで減少する。
【００４６】
さらに、突起が全て、キャビティの反対側の第２のパネルの面から延在していることを想定することができる。
【００４７】
こうして、キャビティに対面する面上には、いかなる突起も存在しない。これにより、特にマスカラは、キャビティを形成する第１のパネルの間でより容易に流動することができ、したがってその分布が容易になる。
【００４８】
好ましくは、第２のパネル上に存在する突起は、このパネルから、アプリケータの長手方向軸に対し半径方向の平面内に存在する。
【００４９】
第２のパネルは、ループを形成する突起の少なくとも１本の横列、およびループを備えていない、すなわち中実で例えば直線の突起の少なくとも１本の横列を有することを想定することができる。例えば、第２のパネルは、ループを形成する突起の１本の横列と、中実の突起の２本の横列とを有することができる。好ましくは、この第２のパネルは、ループを形成する突起の１本の横列と、中実突起の３本の横列を有する。同じパネル上の横列の互いとの関係における相対的な位置については、いくつかの配置が可能である。例えば、ループを形成する突起で形成された横列と中実突起で形成された横列の交番が存在してよい。
【００５０】
好ましくは、ループを形成する突起の１本の横列がパネルの縁部上に位置し、パネルの残りの部分は中実突起の１本の横列、さらには直線突起の少なくとも２本の横列、好ましくは中実突起の少なくとも３本の横列により占有されていることを想定することができる。
【００５１】
代替的には、第２のパネルがループを形成する突起のみ、または中実突起のみを担持していることを想定ことができる。
【００５２】
アプリケータがモノブロックでできていると想定することができる。
【００５３】
モノブロックの形での製造には特に、生産がより迅速であるという利点がある。アプリケータは、唯一の材料または異なるいくつかの材料で構成され得る。
【００５４】
射出成形または加算合成など、いくつかの技術がモノブロックのアプリケータの製造を可能にする。好ましくは、アプリケータは、加算合成により製造される。この製造様式の利点は、特に、射出加工により製造するのが困難である、さらには不可能である複雑な構造を有するアプリケータの製造を可能にするという点にある。
【００５５】
本発明の製造のためには、当業者にとって公知の異なる加算合成方法を使用することができる。例えば、選択的レーザー焼結（またはＳｅｌｅｃｔｉｖｅ  Ｌａｓｅｒ  Ｓｉｎｔｅｒｉｎｇを略してＳＬＳ）およびステレオリソグラフィ（ＳＬＡ）を挙げることができる。加算合成による化粧品アプリケータの製造方法の一例は、当該出願人名義の国際公開第２００８／１１３９３９号中に記載されている。
【００５６】
同様に、本発明によると、前述のアプリケータの加算合成による製造方法において、
−  アプリケータに関連するデータの獲得ステップと；
−  データを用いたアプリケータの加算合成ステップと；
を含む製造方法も想定されている。
【００５７】
同様に、本発明によると、前述の方法の実施を制御するためにコンピュータプログラムによって使用され得るデータを含むコンピュータファイルも想定されている。
【００５８】
同様に、本発明によると、前述の方法の実施を可能にするデータを記録された形で含む、電子記録媒体も想定されている。
【００５９】
最後に、同様に、本発明によると、遠隔通信ネットワーク上でダウンロードすることを目的とする、前述のファイルの入手方法も想定されている。
【００６０】
ここで、図面を参照しながら、非限定的な一例として示される本発明の一実施形態を提示する。
【図面の簡単な説明】
【００６１】
【図１】本発明の一実施形態に係る化粧品用製品の概略的縦断面図である。
【図２】図１の製品のマスカラアプリケータのそれぞれ斜視図および側面図である。
【図３】図１の製品のマスカラアプリケータのそれぞれ斜視図および側面図である。
【図４】図３のアプリケータの自由端部の拡大図である。
【図５】図１〜４のアプリケータの自由端部から見た図である。
【図６】図１のアプリケータの横断面の自由端部から見た図である。
【図７】図１のアプリケータの横断面の斜視図である。
【発明を実施するための形態】
【００６２】
ここで、図１〜７を参照しながら、本発明に係る製品および方法のこの実施形態について提示する。
【００６３】
この実施形態において説明されるマスカラアプリケータ１は、アプリケータ１が剛結合されているキャップまたは栓３と；マスカラタンク５およびこのタンクと製品を閉鎖するために取外し可能な形でキャップを上に固定またはネジ留めすることができ、タンクのネックに収納されたワイパ６（図１参照）を含むケース４と；を含む化粧品用製品の一部を成す。このとき、アプリケータはタンク内に延在し、化粧品中に浸漬される。
【００６４】
当然のことながら、例えばアプリケータがキャップに結合されていない「ペン」タイプの製品、さらにはアプリケータが非使用時にマスカラ備蓄中に浸漬されない製品などの他のタイプのマスカラアプリケータ製品を企図することも可能である。
【００６５】
アプリケータは、これをキャップに連結するロッド８により担持される。アプリケータは、その長手方向軸９に沿って細長い卵形の全体形状を有する。ロッド８は、円筒形の全体形状を有し、その長手方向軸はアプリケータの長手方向軸９と合致する。ロッドおよびアプリケータは、その端部の１つにより結合されている（図２を参照）。
【００６６】
アプリケータは、他の全体形状、例えば球形、平行六面体さらには立方体の全体形状を有することができる。
【００６７】
アプリケータ
記載されているアプリケータは、３つのフラップ１３を含むが、それ以上または未満の数のフラップを含むこともできる。例えばアプリケータは、２、４、５または６個のフラップを含むことができると考えられる。
【００６８】
これらのフラップ１３は互いに同一である。これらのフラップは軸９を中心にして規則的に分布させられ、各々第１のパネル１４および第２のパネル１５で構成されている。第１のパネル１４は、アプリケータのほぼ全長にわたって延在する平行六面体の形状を有する。第２のパネルは、アプリケータのほぼ全長にわたって延在するわずかに凹状になった平行六面体の形状を有する。第１および第２のパネルは、当然のことながら、これらの形状以外の形状を有することができる。
【００６９】
３つのフラップ１３は、第１のパネル１４の内部縁部により互いに結合されており、この結合が、アプリケータ１６のコアを形成する。第１のパネルの別の縁部、つまり外部縁部は、第２のパネルの近位縁部に結合され、この第２のパネルの別の縁部は自由である。
【００７０】
各フラップの第１のパネル１４は、軸９に対し半径方向の平面内に延在する。第２のパネル１５は、例えば図６の場合のように軸に直交する平面における断面で約５０度または６０度などの鋭角を第１のパネルと形成する全体的配向を有する。第２のパネル１５は、この場合には、軸９に対し円周方向の配向で配置され、パネルの湾曲は、この円周の方向をたどる。こうして、図６の断面図において、３つのフラップの断面はこの軸上に中心をおく同じ円上にあり、この円の一区分または円弧を形成する。この構成はここで、断面に対し三叉の全体形状を与える。
【００７１】
各フラップ１３の第１のパネル１４および第２のパネル１５は、互いの間に、マスカラを格納できるキャビティ２１を形成する。
【００７２】
３つのフラップ１３は、アプリケータの長手方向軸９を中心とする回転対称を有する。この長手方向軸は、アプリケータのコア１６を通過する。
【００７３】
アプリケータはさらに、各々アプリケータの長手方向軸９に対し半径方向の平面内で、第２のパネル１５の外部面２３から延在するいくつかのタイプの突起を含む。こうして、アプリケータは、ループを形成する突起１０、主直線中実突起１１、および主突起１つあたり２つの二次突起の割合で主直線中実突起の基部から延在する二次直線中実突起１２を含む。
【００７４】
ここで説明されている突起は、突起の横列の形で配置され、これらの横列の中で、各横列は唯一のタイプの突起しか含まない。同じ横列の突起は、二次直線突起１２を除いて、全て、アプリケータの長手方向軸９に対し半径方向の同じ平面内に含まれている。当該事例において、フラップ１３の各々の第２のパネル１５は、その外部面２３上に、ループを形成する突起１０の１本の横列、主直線中実突起１１の３本の横列、および二次中実突起１２の６本の横列を担持する。より厳密には、第１のパネルに連結された第２のパネル１５の近位端部から出発して、その遠位自由縁部に向かいながら、この順番で、ループ状突起１０の横列、二次突起１２の１本の横列と主突起１１の１本の横列と二次突起１２の１本の横列の一群、その後、この群と同一の２つの群と遭遇する。当然のことながら、第２のパネル上に存在する突起の数およびタイプが異なる他の実施形態を企図することも可能である。
【００７５】
１つの変形実施形態において、突起の横列は、１本の横列を形成する全ての突起が同じ半径方向平面内に含まれない別の形態で配置され得る。
【００７６】
横列が唯一のタイプの突起のみ含むのではなく、少なくとも２つのタイプの突起を含むことも、企図することができる。例えば、１本の横列はループを形成する突起および中実突起を含むことができる。
【００７７】
同じパネルの主中実突起の３本の横列は、同数の突起を有し、したがって、これらの横列が相同な突起を有すると言うことができる。相同な３つの主中実突起１１の群の中では、突起は長手方向軸９に対して横断する異なるそれぞれの平面内に延在する。したがって、これらの異なる横断方向平面間には、この長手方向軸に沿ってずれが存在する。同じ相同な突起群の内部では、このずれが、２つの連続する突起の横断方向平面間で恒常であると想定することができる。
【００７８】
ループを形成する突起は、アプリケータをその自由端部から見た場合、非直線的な全体形状を有し、この場合この形状は波状である。他の実施形態においては他の形状を使用することができる。これらの突起はさらに、正面図でループを見た場合楕円形の全体形状を有し、同じく楕円形の全体形状の貫通開口部１７を有する。これらの開口部は、突起が載置されているフラップ１３の第１のパネル１４および第２のパネル１５内に至るまで延在する。こうして特に、３つのフラップにより形成された３つのキャビティ２１を相互連通させるという結果が得られる。
【００７９】
ここで表現されていない他の実施形態においては、ループを形成する突起および／またはその開口部が、例えば矩形または円形などの異なる形状を有することが企図され得る。
【００８０】
提示された実施形態において、ループを形成する突起１０は、第１のパネル１４に結合された第２のパネル１５の縁部に沿って１本の横列の形で延在する。この横列は、第２のパネル上の他の場所、例えばこの第２のパネルの中央または自由端部のレベルに位置することも企図し得る。
【００８１】
ループを形成する突起１０の開口部１７は、図４および６に例示されているように、ここではアプリケータの長手方向軸に対し直交する平面内に延在する開口部主軸１８を有する。この主軸は、この横列のループ状突起が包括的に内部に延在している主軸に対し半径方向の平面と９０°の角度を形成する。他の実施形態において、軸１８は、この半径方向平面と４５°超の角度を有する。好ましくは、この角度は６０°超、特に７０°超、好ましくは８０°超である。
【００８２】
ループを形成する突起１０の開口部１７の縁部１９は、アプリケータの自由端部から見た場合に非平面曲線を形成する（図５および６を参照）。当然のことながら、これらの開口部が平面曲線を形成することも企図することができる。
【００８３】
その上、これらの縁部は面取りされている。
【００８４】
提示された実施形態において、各々の直線主中実突起１１は、その基部から、すなわちフラップ１３の第２のパネル１５に結合されたその自由でない端部から延在する２つの二次突起１２を含む。これらの二次突起も同様に直線である。同じ主突起１１の２つの二次突起１２は、長手方向軸に対し半径方向の同一平面内に延在する。同じ直線突起１１の２つの二次突起１２は、主突起の両側で軸対称に配置されている。当然のことながら、二次突起１２は、その主突起１１に沿って他の形で配置されてよい。例えば、これらの二次突起は、この主突起の自由端部の近傍に位置することができると考えられる。２つの二次突起は、それらを担持する主突起１１に沿って異なるレベルに位置していてよく、同様に２つの異なる平面内に延在することもできる。これらの二次突起１２は必ずしも直線である必要はなく、例えば曲線的または波状であり得る。これらの二次突起１２の数は、同じ主突起１１上で変動し、２個超または２個未満、例えば１、３、４または５個の二次突起１２であり得、主突起１１は、異なる数の二次突起１２を担持することができる。
【００８５】
製造方法
以上で提示されたアプリケータはモノブロックで製造される。より詳細には、このアプリケータは、３Ｄプリンティングとも呼ばれる加算合成によって製造される。
【００８６】
ブラシを製作するにはあらゆる好適な材料を使用でき、材料は固体であっても弾性可撓性を有していてもよい。これは例えばポリアミド、特にポリアミド１１０２、ＰＥＢＡ２３０１、またはＡＢＳタイプの樹脂などのプラスチック材料であるか、さらにはステンレス鋼またはチタンなどの粉末金属であることができる。
【００８７】
前述のようなアプリケータの製造のためには、いくつかの加算合成方法を使用することができる。特に、粉末材料からの選択的レーザー焼結、およびステレオリソグラフィ（ＳＬＡ）を挙げることができる。当該事例においては、選択的レーザー焼結方法が使用され、この方法には、複雑な形状を有する物体の製造を可能にするという利点がある。
【００８８】
アプリケータは最初、コンピュータ援用設計（ＣＡＤ）ソフトウェア上で設計される。このように設計されたアプリケータの設計データを含むＳＴＬフォーマットのファイルが次にエクスポートされる。加算合成のための他の標準ファイルフォーマットを使用することができる。
【００８９】
このファイルは、次に加算合成を実施するために使用される機械のメーカーが提供するソフトウェアによって処理される。このソフトウェアは、ＳＬＩまたはＢＦＦフォーマットの約１００個のデジタル画像の形でファイルをセクションにカットし、これらの画像の各々は、プリントすべきモデルの一層、すなわち軸９に直交する平面内で取られたアプリケータの一断面に対応する。これらのデータは、次にプリンタに伝送され、プリンタがアプリケータを生産できるようにする。
【００９０】
ひとたび合成が終了したならば、アプリケータに処理を施して、例えばその外観を改善することができる。
【００９１】
当然のことながら、本発明に対し、その枠から逸脱することなく多くの修正をもたらすことができる。
【００９２】
上述のアプリケータに固有のフラップおよび突起を互いに独立して運用可能であることを想定することができる。
【００９３】
以上で提示した実施形態は、マスカラアプリケータに関するが、当業者であれば、これらの特徴をマニュキュアアプリケータまたは眉毛や毛髪用の化粧品アプリケータなどの他のタイプの化粧品アプリケータに対して容易に塗布することができるものである。
【図１】
2018536492.tif 000003
【図２】
2018536492.tif 000004
【図３】
2018536492.tif 000005
【図４】
2018536492.tif 000006
【図５】
2018536492.tif 000007
【図６】
2018536492.tif 000008
【図７】
2018536492.tif 000009
【国際調査報告】
2018536492.tif 000010
2018536492.tif 000011
2018536492.tif 000012
2018536492.tif 000013